(57)【要約】【課題】キッチン側およびダイニング側の両方から使用する際の利便性が良く、ダイニングキッチンの意匠性を向上させることができる収納家具およびダイニングキッチンを提供する。【解決手段】ダイニングとキッチンとが一体となったダイニングキッチンのキッチンとダイニングとの間に設けられる収納家具１において、上端部に設けられる収納天板部２１と、収納天板部２１の下側における高さ方向の上部側に設けられ、奥行き方向（第１方向）に貫通する第１収納部３１と、収納天板部２１の下側における高さ方向の上部側に設けられ、奥行き方向の一方側のみに開口する第２収納部３２と、を有する。【選択図】図２
2019177056.tif 000002
【特許請求の範囲】
【請求項１】
ダイニングとキッチンとが一体となったダイニングキッチンの前記キッチンと前記ダイニングとの間に設けられる収納家具において、
上端部に設けられる収納天板部と、
前記収納天板部の下側における高さ方向の上部側に設けられ、前記キッチン側と前記ダイニング側とを結ぶ第１方向に貫通する第１収納部と、
前記収納天板部の下側における高さ方向の上部側に設けられ、前記第１方向の一方側のみに開口する第２収納部と、を有することを特徴とする収納家具。
【請求項２】
前記収納天板部の下側における高さ方向の上部側に設けられ、前記第１方向の他方側のみに開口する第３収納部を有することを特徴とする請求項１に記載の収納家具。
【請求項３】
前記第２収納部は、前記第３収納部の前記第１方向の一方側に重なって設けられていることを特徴とする請求項２に記載の収納家具。
【請求項４】
前記第２収納部および前記第３収納部は、前記第１収納部と前記第１方向と交差する第２方向に隣接して設けられていて、
前記第２方向にスライドして、前記第１収納部および前記第２収納部を片方ずつ前記第１方向の一方側から閉塞可能な第１引き戸と、
前記第２方向にスライドして、前記第１収納部および前記第３収納部を片方ずつ前記第１方向の他方側から閉塞可能な第２引き戸と、を有することを特徴とする請求項３に記載の収納家具。
【請求項５】
前記第１方向と交差する第２方向のいずれか一方の端部に設けられ、前記第１方向の両側および前記第２方向のいずれか一方側に開口する第４収納部を有することを特徴とする請求項１乃至４のいずれか一項に記載の収納家具。
【請求項６】
前記第４収納部の下側に設けられ、前記第２方向の一方側のみに開口する第５収納部を有することを特徴とする請求項５に記載の収納家具。
【請求項７】
前記第５収納部の下側に設けられた台輪と、
前記台輪の内部に設けられた電源を有し、
前記電源に接続する配線を前記第５収納部から前記台輪の内部に設置可能に構成されていることを特徴とする請求項６に記載の収納家具。
【請求項８】
高さ方向の下部側に設けられ、前記第１方向の他方側のみに開口する第６収納部を有し、
前記第６収納部の底部は、前記ダイニングキッチンの床面となるように構成されていることを特徴とする請求項１乃至７のいずれか一項に記載の収納家具。
【請求項９】
前記収納天板部の下側に設けられた電源を有し、
前記収納天板部には、前記電源に接続する配線を挿通可能な配線挿通孔が形成されていることを特徴とする請求項１乃至８のいずれか一項に記載の収納家具。
【請求項１０】
ダイニングとキッチンとが一体となったダイニングキッチンにおいて、
前記ダイニングと前記キッチンとの間に設けられる収納家具を有し、
上端部に設けられる収納天板部と、
前記収納天板部の下側における高さ方向の上部側に設けられ、前記キッチン側と前記ダイニング側とを結ぶ第１方向に貫通する第１収納部と、
前記収納天板部の下側における高さ方向の上部側に設けられ、前記ダイニング側のみに開口する第２収納部と、を有することを特徴とするダイニングキッチン。
【請求項１１】
前記収納天板部は、前記キッチンに設けられたキッチンセットの天板よりも高い位置に配置されていることを特徴とする請求項１０に記載のダイニングキッチン。
【請求項１２】
前記第１収納部および前記第２収納部は、前記ダイニングに設けられたダイニングテーブルの天板の高さ以上の高さ位置に配置されていることを特徴とする請求項１０または１１に記載のダイニングキッチン。
【請求項１３】
前記収納家具は、前記第１方向に交差する第２方向のいずれか一方の端部に設けられ、前記第２方向の端部を閉塞する側板部を有し、
前記側板部が前記ダイニングキッチンの出入口または前記ダイニングキッチンに設けられた窓と対向するように配置されていることを特徴とする請求項１０乃至１２のいずれか一項に記載のダイニングキッチン。
【請求項１４】
前記収納家具は、前記第１方向に交差する第２方向のいずれか一方の端部に設けられ、前記第２方向の端部を閉塞する側板部を有し、
前記側板部が設けられた端部が前記キッチンに設けられたキッチンセットの加熱調理器に近接する側となるように配置されていることを特徴とする請求項１０乃至１３のいずれか一項に記載のダイニングキッチン。
【発明の詳細な説明】
【技術分野】
【０００１】
本発明は、収納家具およびダイニングキッチンに関する。
【背景技術】
【０００２】
従来、ダイニングとキッチンとが一体となった空間で、シンクや加熱調理器、作業台などを備えるキッチンセットが壁に沿って設けられ、キッチンセットの後方で部屋の中央部にダイニングセットが設けられたダイニングキッチンが知られている（例えば、特許文献１参照）。
また、上記のようなダイニングキッチンにおいて、キッチンセットの後とダイニングセットとの間に設置され、ダイニングセットのテーブルが一体に設けられたアイランドキッチンも知られている（例えば、特許文献２参照）。
【先行技術文献】
【特許文献】
【０００３】
【特許文献１】特開２００１−３３６２９４号公報
【特許文献２】特開平５−１３０９１９号公報
【発明の概要】
【発明が解決しようとする課題】
【０００４】
特許文献１に開示されたような形態のダイニングキッチンでは、収納家具も壁に沿って設けられることが多く、ダイニングセットと収納家具とが離れて配置されることが多い。このため、ダイニングセットの椅子に着座した人が収納家具に収納された物品が必要となると、椅子から立ち上がって収納家具まで移動して物品を取り、再び椅子まで移動する必要があり、利便性が良くないという問題がある。これにより、物品をダイニングセットのテーブルに置いたままになることがあり、ダイニングキッチンの意匠性を低下させてしまうことがある。
特許文献２に開示されたアイランドキッチンは、ダイニングのテーブルと一体に設けられているが、キッチンで使用する電化製品を収納することを目的とし、キッチン側から使用する形態であるため、ダイニング側から使用するには利便性が良くないという問題がある。
【０００５】
そこで、本発明は、キッチン側およびダイニング側の両方から使用する際の利便性が良く、ダイニングキッチンの意匠性を向上させることができる収納家具およびダイニングキッチンを提供することを目的とする。
【課題を解決するための手段】
【０００６】
上記目的を達成するため、本発明に係る収納家具は、ダイニングとキッチンとが一体となったダイニングキッチンの前記キッチンと前記ダイニングとの間に設けられる収納家具において、上端部に設けられる収納天板部と、前記収納天板部の下側における高さ方向の上部側に設けられ、前記キッチン側と前記ダイニング側とを結ぶ第１方向に貫通する第１収納部と、前記収納天板部の下側における高さ方向の上部側に設けられ、前記第１方向の一方側のみに開口する第２収納部と、を有することを特徴とする。
【０００７】
また、本発明に係るダイニングキッチンでは、ダイニングとキッチンとが一体となったダイニングキッチンにおいて、前記ダイニングと前記キッチンとの間に設けられる収納家具を有し、上端部に設けられる収納天板部と、前記収納天板部の下側における高さ方向の上部側に設けられ、前記キッチン側と前記ダイニング側とを結ぶ第１方向に貫通する第１収納部と、前記収納天板部の下側における高さ方向の上部側に設けられ、前記ダイニング側のみに開口する第２収納部と、を有することを特徴とする。
【０００８】
本発明では、第１収納部は、第１方向の両側に貫通していることにより、第１収納部に収納した物品をキッチン側およびダイニング側の両側から取り出すことができ、収納家具の利便性をよくすることができる。例えば、第１収納部に調味料や食器を収納すれば、この調味料や食器をキッチン側およびダイニング側の両側から容易に取り出すことができる。
また、第２収納部は、第１方向の一方側のみに開口していることにより、収納家具を第２収納部がダイニング側に開口するように設置すれば、第２収納部をダイニングから使用する収納として使用することができる。
さらに、本発明では、第１収納部および第２収納部は、収納天板部の下側における高さ方向の上部側に設けられている。これにより、人はダイニングに起立した姿勢およびダイニングの椅子に着座した姿勢のいずれの姿勢でも第１収納部および第２収納部を快適に使用することができる。
このようにダイニング側から物品を容易に収納することができるため、ダイニングが散らかることが減りダイニングキッチンの意匠性を向上させることができる。
さらに、収納家具は、ダイニングとキッチンとの間に設けられることにより、ダイニング側からのキッチンの目隠しとして利用することができる。
【０００９】
また、本発明に係る収納家具では、前記収納天板部の下側における高さ方向の上部側に設けられ、前記第１方向の他方側のみに開口する第３収納部を有していてもよい。
このような構成とすることにより、収納家具を第２収納部がダイニング側に開口し、第３収納部がキッチン側に開口するように設置すれば、ダイニング側から使用する収納とキッチン側から使用する収納とを個別に設けることができる。
【００１０】
また、本発明に係る収納家具では、前記第２収納部は、前記第３収納部の前記第１方向の一方側に重なって設けられていてもよい。
このような構成とすることにより、奥行き寸法（第１方向の寸法）抑えた第２収納部および第３収納部を設置することができる。
【００１１】
また、本発明に係る収納家具では、前記第２収納部および前記第３収納部は、前記第１収納部と前記第１方向と交差する第２方向に隣接して設けられていて、前記第２方向にスライドして、前記第１収納部および前記第２収納部を片方ずつ前記第１方向の一方側から閉塞可能な第１引き戸と、前記第２方向にスライドして、前記第１収納部および前記第３収納部を片方ずつ前記第１方向の他方側から閉塞可能な第２引き戸と、を有していてもよい。
このような構成とすることにより、第１引き戸によって第１方向の一方側から第１収納部および第２収納部を片方ずつ閉塞して内部を隠すことができる。また、第２引き戸によって第１方向の他方側から第１収納部および第３収納部を片方ずつ閉塞して内部を隠すことができる。
また、第１収納部を第１引き戸または第２引き戸で閉塞した状態とすることで、閉塞した第１引き戸または第２引き戸を第１収納部の背板として使用することができる。
【００１２】
また、本発明に係る収納家具では、前記第１方向と交差する第２方向のいずれか一方の端部に設けられ、前記第１方向の両側および前記第２方向のいずれか一方側に開口する第４収納部を有していてもよい。
このような構成とすることにより、第４収納部を第１方向の両側と前記第２方向のいずれか一方側の３方から使用することができる。
【００１３】
また、本発明に係る収納家具では、前記第４収納部の下側に設けられ、前記第２方向の一方側のみに開口する第５収納部を有していてもよい。
このような構成とすることにより、第５収納部を着座した状態など低い位置から使用することができる。
また、第５収納部は、第２方向の一方側のみに開口するため、扉や引き出しを設け、物品を露出しないように収納することができる。３方が開放された第４収納部の下側に設けられていることにより、第４収納部および第５収納部が設けられた第２方向のいずれか一方側の収納形態を多様化させることができる。
【００１４】
また、本発明に係る収納家具では、前記第５収納部の下側に設けられた台輪と、前記台輪の内部に設けられた電源を有し、前記電源に接続する配線を前記第５収納部から前記台輪の内部に設置可能に構成されていてもよい。
このような構成とすることにより、収納家具で電化製品を使用する場合に、その配線を収納家具の側方に引き出すことなく電源に接続することができ、使い勝手および意匠性を向上させることができる。
また、台輪の内部に設けられた電源を収納家具を設置する床部から引き出された電源と接続することにより、配線が収納家具の外部に露出しないため意匠性を向上させることができる。
【００１５】
また、本発明に係る収納家具では、高さ方向の下部側に設けられ、前記第１方向の他方側のみに開口する第６収納部を有し、前記第６収納部の底部は、前記ダイニングキッチンの床面となるように構成されていてもよい。
このような構成とすることにより、第６収納部にごみ箱やワゴンなどを容易に設置することができる。
【００１６】
また、本発明に係る収納家具では、前記収納天板部の下側に設けられた電源を有し、前記収納天板部には、前記電源に接続する配線を挿通可能な配線挿通孔が形成されていてもよい。
このような構成とすることにより、収納天板部の上で電化製品を使用する場合に、その配線を収納天板部の側方に引き出すことなく電源に接続することができ、使い勝手および意匠性を向上させることができる。
【００１７】
また、本発明に係るダイニングキッチンでは、前記収納天板部は、前記キッチンに設けられたキッチンセットの天板よりも高い位置に配置されていてもよい。
このような構成とすることにより、収納家具をキッチンの目隠しとして利用することができ、ダイニング側から意匠性を向上させることができる。
【００１８】
また、本発明に係るダイニングキッチンでは、前記第１収納部および前記第２収納部は、前記ダイニングに設けられたダイニングテーブルの天板の高さ以上の高さ位置に配置されていてもよい。
このような構成とすることにより、起立した状態でもダイニングの椅子に着座した状態でも、第１収納部および第２収納部を快適に使用することができる。
【００１９】
また、本発明に係るダイニングキッチンでは、前記収納家具は、前記第１方向に交差する第２方向のいずれか一方の端部に設けられ、前記第２方向の端部を閉塞する側板部を有し、前記側板部が前記ダイニングキッチンの出入口または前記ダイニングキッチンに設けられた窓と対向するように配置されていてもよい。
このような構成とすることにより、ダイニングキッチンの外部から出入口や窓を介してから収納家具の内部を容易に視認できないようにすることができる。
【００２０】
また、本発明に係るダイニングキッチンでは、前記収納家具は、前記第１方向に交差する第２方向のいずれか一方の端部に設けられ、前記第２方向の端部を閉塞する側板部を有し、前記側板部が設けられた端部が前記キッチンに設けられたキッチンセットの加熱調理器に近接する側となるように配置されていてもよい。
このような構成とすることにより、加熱調理器で調理した際に油などが収納家具に飛散したとしても、飛散した油などが収納家具の内部に入り込むことを防止することができる。
【発明の効果】
【００２１】
本発明によれば、キッチン側およびダイニング側の両方から使用する際の利便性が良く、ダイニングキッチンの意匠性を向上させることができる。
【図面の簡単な説明】
【００２２】
【図１】本発明の実施形態によるダイニングキッチンの一例を示す図である。
【図２】収納家具の西側（ダイニング側）から見た正面図である。
【図３】収納家具の東側（キッチン側）から見た背面図である。
【図４】収納家具の北側（幅方向の一方側）から見た側面図である。
【図５】収納家具の南側（幅方向の他方側）から見た側面図である。
【図６】収納家具の上面図である。
【図７】図２のＡ−Ａ線断面図である。
【図８】図２のＢ−Ｂ線断面図である。
【図９】図２のＣ−Ｃ線断面図である。
【図１０】収納家具の西側（ダイニング側）から見た正面図で第１引き戸が幅方向の一方側に移動した様子を示す図である。
【図１１】収納家具の東側（キッチン側）から見た正面図で第２引き戸が幅方向の一方側に移動した様子を示す図である。
【図１２】図４のＤ−Ｄ線断面図である。
【図１３】収納家具の東側（キッチン側）から見た正面図で第１引き戸が幅方向の一方側に移動し、第２引き戸が幅方向の他方側に移動した様子を示す図である。
【図１４】収納家具の西側（ダイニング側）から見た正面図で第１引き戸が幅方向の他方側に移動し、第２引き戸が幅方向の位置方側に移動した様子を示す図である。
【発明を実施するための形態】
【００２３】
以下、本発明の実施形態による収納家具およびダイニングキッチンについて、図１乃至図１４に基づいて説明する。
図１に示す本実施形態によるダイニングキッチン１１は、住宅に設けられたダイニングキッチン１１で、ダイニングのスペースとキッチンのスペースとが一体に設けられている。
ダイニングキッチン１１は、壁部１２に囲まれて平面視形状が南北方向よりも東西方向に長い長方形となる空間となっている。
【００２４】
ダイニングキッチン１１の壁部１２のうちの、ダイニングキッチン１１の北側に配置され東西方向に延びる壁部１２を第１壁部１２１とし、第１壁部１２１の西側から北側に延びる壁部１２を第２壁部１２２とし、第１壁部１２１の東側の端部から南側に延びる壁部１２を第３壁部１２３とし、第３壁部１２３の南側の端部から西側に延びる壁部１２を第４壁部１２４とする。
第２壁部１２２は、第３壁部１２３より短く形成され、第４壁部１２４は第１壁部１２１よりも短く形成されていて、第２壁部１２２の南側の端部と第４壁部１２４の西側の端部とは離間している。第２壁部１２２と第４壁部１２４との間は人が通行可能となっている。ダイニングキッチン１１は、第２壁部１２２と第４壁部１２４との間を介してリビングと連通している。
【００２５】
ダイニングキッチン１１には、第３壁部１２３に沿ってキッチンセット１３が設けられ、中央にダイニングセット１４および収納家具１が設けられている。
キッチンセット１３は、加熱調理器１３１やシンク、作業台を有している。キッチンセット１３は、南北方向に延びて西側から使用する向きに配置されている。キッチンセット１３は、第３壁部１２３に対して南寄りに配置されていて、キッチンセット１３の北側には冷蔵庫１５が配置されている。
【００２６】
ダイニングセット１４は、ダイニングテーブル１４１と４つのダイニングチェア１４２と、を有している。ダイニングテーブル１４１の天板は長方形に形成されていて、長手方向が東西方向となる向きに配置されている。ダイニングチェア１４２は、ダイニングテーブル１４１の短手方向の（南北方向）の両側に長手方向（東西方向）に２脚ずつ並んで設置されている。ダイニングテーブル１４１の天板の高さは、例えば６８０〜７２０ｍｍとなっている。
【００２７】
収納家具１は、ダイニングテーブル１４１とキッチンセット１３との間に配置されている。本実施形態では、収納家具１は、ダイニングキッチン１１の床部１１１に固定されている。
収納家具１は、外形が直方体となり、平面視形状が長方形に形成されている。以下の収納家具１の説明では、平面視形状の長方形の長手方向を幅方向（第１方向）とし、短手方向を奥行き方向（第２方向）とする。
収納家具１は、幅方向が南北方向となり、奥行き方向が東西方向となる向きに配置されている。
収納家具１は、奥行き方向の一方側（第１方向の一方側、以下、ダイニング側と称することもある）がダイニングテーブル１４１と近接または当接し、奥行き方向の他方側（第１方向の他方側、以下キッチン側と称することもある）がキッチンセット１３と離間している。収納家具１とキッチンセット１３との間は、人が通行したり作業したりできるようになっている。収納家具１の幅寸法は、ダイニングテーブル１４１の短手方向の寸法よりも大きく形成され、収納家具１の幅方向の中心と、ダイニングテーブル１４１の短手方向の中心とが揃うように配置されている。
上記のように設置された収納家具１における北側を幅方向の一方側（第２方向の一方側）とし、南側を幅方向の他方側（第２方向の他方側）とする。
【００２８】
図２乃至図５に示すように、収納家具１は、上端部に設けられる収納天板部２１と、収納天板部２１の下側で高さ方向の中間部に設けられる棚板部２２と、奥行き方向の一方側の縁部において棚板部２２と床部１１１との間に設けられる第１側板部２３と、奥行き方向の他方側の縁部において棚板部２２と床部１１１との間に設けられる第２側板部２４と、幅方向の他方側の縁部において収納天板部２１と床部１１１との間に設けられる第３側板部２５と、幅方向の中間部において棚板部２２と床部１１１との間に設けられる中板部２６と、収納天板部２１と棚板部２２との間に設けられる第１〜第３仕切り板部２７〜２９と、を有している。
【００２９】
図１乃至図６に示すように、収納天板部２１は、板面が収納家具１の平面視形状と同じ長方形となる平板状に形成され、板面が水平面となり、幅方向に延びる向きに配置されている。本実施形態では、収納天板部２１は、床部１１１から約９６０〜１０４０ｍｍの高さに配置されている。収納天板部２１は、キッチンセット１３の天板およびダイニングテーブル１４１の天板よりも高い位置に配置されている。
【００３０】
図２乃至図４および図７乃至図９に示すように、棚板部２２は、板面が長方形となる平板状に形成され、板面が水平面となり、幅方向に延びる向きに配置されている。棚板部２２は、収納天板部２１の鉛直方向下側に収納天板部２１と間隔をあけて設けられている。本実施形態では、棚板部２２は、床部１１１から約７００〜７８０ｍｍの高さに配置されている。棚板部２２は、ダイニングテーブル１４１の天板とほぼ同じ高さに配置されている。
【００３１】
図２に示すように、第１側板部２３は、板面が長方形となる平板状に形成され、板面が奥行き方向を向く鉛直面となる向きで床部１１１に立設している。第１側板部２３は、棚板部２２のダイニング側の縁部の下側に配置され、上縁部が棚板部２２のダイニング側の縁部と接合されている。第１側板部２３は、幅方向の長さ寸法が棚板部２２の幅方向の長さ寸法とほぼ同じ長さ寸法に形成され、棚板部２２のダイニング側の縁部全長の下側に配置されている。
【００３２】
図３に示すように、第２側板部２４は、板面が長方形となる平板状に形成され、板面が奥行き方向を向く鉛直面となる向きで床部１１１に立設している。第２側板部２４は、棚板部２２のキッチン側の縁部の下側に配置され、上縁部が棚板部２２のキッチン側の縁部と接合されている。第２側板部２４は、棚板部２２の幅方向の長さ寸法よりも小さく形成され、棚板部２２の幅方向の一方側寄りに配置されている。棚板部２２の下側における第２側板部２４の幅方向の他方側は、側板部が設けられておらず、キッチン側に開口している。
【００３３】
図２、図３および図５に示すように、第３側板部２５は、板面が長方形となる平板状に形成され、板面が幅方向を向く鉛直面となる向きで床部１１１に立設している。第３側板部２５は、収納天板部２１の幅方向の他方側の縁部の下側に配置され、上縁部が収納天板部２１の幅方向の他方側の縁部と接合されている。
第３側板部２５は、棚板部２２の幅方向の他方側に配置され、高さ方向の中間部に棚板部２２の場幅方向の他方側の縁部が接合されている。第３側板部２５は、ダイニング側の縁部が第１側板部２３の幅方向の他方側の縁部と接合されている。
図１に示すように、本実施形態では、第４壁部１２４は、建物の外周壁となっていて、掃き出し窓１２５が設けられている。収納家具１は、第３側板部２５が掃き出し窓と対向するように配置されている。また、キッチンセット１３の加熱調理器１３１は、収納家具１よりも南側に設けられていて、収納家具１は、第３側板部２５が加熱調理器１３１と近接している。
【００３４】
図３および図７に示すように、中板部２６は、板面が長方形となる平板状に形成され、板面が幅方向を向く鉛直面となる向きで床部１１１に立設している。第３側板部２５は、棚板部２２の幅方向の中間部の下側に配置され、上縁部が棚板部２２の下面と接合されている。第３側板部２５は、キッチン側の縁部が第２側板部２４の幅方向の他方側の縁部と接合され、ダイニング側の縁部が第１側板部２３のキッチン側の面における幅方向の中間部と接合されている。
【００３５】
図６乃至図８に示すように、第１仕切り板部２７および第２仕切り板部２８は、板面が長方形となる平板状に形成され、板面が幅方向を向く鉛直面となる向きで棚板部２２と収納天板部２１との間に幅方向に間隔をあけて設けられている。第１仕切り板部２７および第２仕切り板部２８は、それぞれ上縁部が収納天板部２１の下面と接合され、下縁部が中板部２６の上面と接合されている。
第１仕切り板部２７および第２仕切り板部２８は、奥行き方向の長さ寸法が収納天板部２１および中板の奥行き方向の長さ寸法よりもやや小さく、収納天板部２１および棚板部２２よりも奥行き方向の内側に配置されている。
【００３６】
第１仕切り板部２７が第３側板部２５の幅方向一方側に間隔をあけて配置され、第２仕切り板部２８が第１仕切り板部２７の幅方向の一方側に間隔をあけて配置されている。第１仕切り板部２７および第２仕切り板部２８は、いずれも収納家具１の幅方向の中間部に配置されている。第３側板部２５と第１仕切り板部２７との間隔と、第１仕切り板部２７と第２仕切り板部２８との間隔は、ほぼ同じ寸法となっている。中板部２６は、第１仕切り板部２７と第２仕切り板部２８との間の下側に配置されている。
【００３７】
図６および図９に示すように、第３仕切り板部２９は、板面が長方形となる平板状に形成され、板面が奥行き方向を向く鉛直面となる向きで棚板部２２と収納天板部２１との間で、第３側板部２５と第１仕切り板部２７との間に設けられている。第３仕切り板部２９は、上縁部が収納天板部２１の下面と接合され、下縁部が棚板部２２の上面と接合され、幅方向の一方側の縁部が第１仕切り板部２７の幅方向の他方側の面と接合され、幅方向の他方側の縁部が第３側板部２５の幅方向の一方側の面と接合されている。
【００３８】
図２および図３に示すように、このような収納家具１は、収納天板部２１と棚板部２２との間に、第１仕切り板部２７と第２仕切り板部２８との間に設けられた第１収納部３１と、第１仕切り板部２７と第３側板部２５の間で第３仕切り板部２９のダイニング側となる第２収納部３２と、第１仕切り板部２７と第３側板部２５の間で第３仕切り板部２９のキッチン側となる第３収納部３３と、第２仕切り板部２８のダイニング側となる第４収納部３４と、を有している。
さらに、収納家具１は、棚板部２２の下側に、第１側板部２３、第２側板部２４および中板部２６に３方を囲まれた第５収納部３５と、第１側板部２３、第３側板部２５および中板部２６に３方を囲まれた第６収納部３６と、を有している。
【００３９】
後述するが、図２および図１０に示すように、収納家具１には、第１収納部３１および第２収納部３２のダイニング側には、第１収納部３１のダイニング側の開口および第２収納部３２の開口を開閉する第１引き戸４１が設けられている。また、図３および図１１に示すように、収納家具１には、第１収納部３１および第３収納部３３のキッチン側には、第１収納部３１のキッチン側の開口および第３収納部３３の開口を開閉する第２引き戸４３が設けられている。
【００４０】
図２、図３および図８に示すように、第１収納部３１は、奥行き方向に貫通していて、ダイニング側およびリビング側に開口している。第１収納部３１は、ダイニング側およびリビング側の両側から使用可能に構成されている。
図６、図９および図１０に示すように、第２収納部３２は、ダイニング側に開口していて、ダイニング側から使用可能に構成されている。
図６、図９および図１１に示すように、第３収納部３３は、キッチン側に開口していて、キッチン側から使用可能に構成されている。第２収納部３２および第３収納部３３は、第１収納部３１と幅方向の長さ寸法が同じ寸法となるように設計されている。
【００４１】
図２、図８および図１０に示すように、収納天板部２１と棚板部２２との間には、ダイニング側の縁部に沿って１枚の第１引き戸４１が設けられている。第１引き戸４１は、平板状に形成され、板面が奥行き方向を向く向きで幅方向にスライド可能に構成されている。収納天板部２１の下面におけるダイニング側の縁部近傍には、第１引き戸４１をガイドする第１ガイドレール４２が設けられている。本実施形態では、第１引き戸４１は、第１ガイドレール４２に吊られていて、棚板部２２の上面とは離間している。このため、棚板部２２の上面には第１引き戸４１をガイドするためのガイドレールやガイド溝が設けられていない。
【００４２】
第１引き戸４１は、幅方向の寸法が第１仕切り板部２７と第２仕切り板部２８との間隔（第１収納部３１の幅寸法）、および第１仕切り板部２７と第３側板部２５との間隔（第２収納部３２の幅寸法）とほぼ同じ大きさに形成されている。
このため、図１０に示すように、第１引き戸４１を幅方向の一方側に移動すると、第１収納部３１のダイニング側の開口が閉塞され、第２収納部３２が開口する。これに対し、図１に示すように、第１引き戸４１を幅方向の他方側に移動すると、第１収納部３１がダイニング側に開口され、第２収納部３２の開口が閉塞される。
【００４３】
図３、図８および図１１に示すように、収納天板部２１と棚板部２２との間には、キッチン側の縁部に沿って１枚の第２引き戸４３が設けられている。第２引き戸４３は、平板状に形成され、板面が奥行き方向を向く向きで幅方向にスライド可能に構成されている。収納天板部２１の下面におけるキッチン側の縁部近傍には、第２引き戸４３をガイドする第２ガイドレール４４が設けられている。本実施形態では、第２引き戸４３は、第２ガイドレール４４に吊られていて、棚板部２２の上面とは離間している。このため、棚板部２２の上面には第２引き戸４３をガイドするためのガイドレールやガイド溝が設けられていない。
【００４４】
第２引き戸４３は、幅方向の寸法が第１仕切り板部２７と第２仕切り板部２８との間隔（第１収納部３１の幅寸法）、および第１仕切り板部２７と第３側板部２５との間隔（第３収納部３３の幅寸法）とほぼ同じ大きさに形成されている。
このため、図１１に示すように、第２引き戸４３を幅方向の一方側に移動すると、第１収納部３１のキッチン側の開口が閉塞され、第３収納部３３が開口する。これに対し、
第２引き戸４３を幅方向の他方側に移動すると、第１収納部３１がキッチン側に開口され、第３収納部３３の開口が閉塞される。
【００４５】
図２、図３および図７に示すように、第４収納部３４は、ダイニング側、キッチン側および幅方向の一方側（北側）の３方に開口している。第４収納部３４は、ダイニング側、キッチン側および幅方向の一方側のいずれの側からも使用可能に構成されている。
第４収納部３４は、３方に開口しているため、携帯電話を置いたり、飾り棚として使用したりすることもできる。
【００４６】
図４および図７に示すように、第５収納部３５は、幅方向の一方側に開口している。第５収納部３５は、幅方向の一方側から使用可能に構成されている。
本実施形態では、第５収納部３５は、上部側に２段の引き出し５１，５２が設けられていて、下部側は１つの着脱可能な棚板５５によって上下２つの空間に分割されている。上下２段の引き出し５１，５２には、それぞれ引き出し５１，５２を引き出す際に手をかける手掛け部が設けられている。図１０に示すように、上側の引き出し５１の手掛け部５１１は、引き出し５１の下縁部に設けられ、下側の引き出し５２の手掛け部５２１は、引き出し５２の上縁部に設けられている。上側の引き出し５１の手掛け部５１１と、下側の引き出し５２の手掛け部５２１とは上下に並んで配置されている。
第５収納部３５の下側には、台輪５３が設けられている。台輪５３の内部には、コンセント５４が設けられている。台輪５３の内部のコンセント５４は、ダイニングキッチン１１の床部１１１に設けられた電源と接続されている。
【００４７】
図３および図９に示すように、第６収納部３６は、キッチン側に開口している。第６収納部３６はキッチン側から使用可能に構成されている。第６収納部３６には、台輪や底板が設けられておらず、底面が床部１１１となっていて、底部に段差がない構造となっている。本実施形態では、第６収納部３６には、棚板部２２から吊り下げられた引き出しかご５４が設けられている。引き出しかご５４は、キッチン側に引き出し可能に構成されている。
本実施形態では、第６収納部３６の側方で第２側板部のキッチン側の面にタオル掛け５６が設けられている。
【００４８】
図２および図３に示すように、本実施形態では、第１収納部３１および第４収納部３４の棚板部２２にコンセント（電源）６１，６２が設けられている。第１収納部３１に設けられたコンセント６１および第４収納部３４に設けられたコンセント６２はいずれも第２仕切り板部２８近傍に設けられている。コンセント６１，６２の配線は、棚板部２２から第５収納部３５の内部を通り、台輪５３の内部に設けられたコンセント５４に接続されている。
【００４９】
また、本実施形態では、収納天板部２１に配線を挿通可能な配線挿通孔６３が形成されている。配線挿通孔６３は、第１収納部３１の上側のキッチン側寄りに形成されている。配線挿通孔６３に上側から挿通された配線が第１収納部３１のコンセント６１に接続可能に構成されている。
収納天板部２１の上で電気製品を使用する場合、電気製品の配線を配線挿通孔６３に通して第１収納部３１のコンセント６１に接続することができる。
第４収納部３４のコンセント６２は、第４収納部３４で使用する例えば携帯電話の充電器などの配線を接続することができる。
【００５０】
次に、上述した本発明の実施形態による収納家具１およびダイニングキッチン１１の作用・効果について図面を用いて説明する。
上述した本発明の実施形態による収納家具１およびダイニングキッチン１１では、第１収納部３１は、奥行き方向の両側に貫通していることにより、第１収納部３１に収納した物品をキッチン側およびダイニング側の両側から取り出すことができ、収納家具１の利便性をよくすることができる。例えば、第１収納部３１に調味料や食器を収納すれば、この調味料や食器をキッチン側およびダイニング側の両側から容易に取り出すことができる。
また、第２収納部３２は、ダイニング側のみに開口していることにより、第２収納部３２をダイニングから使用する収納として使用することができる。
さらに、第１収納部３１および第２収納部３２は、収納天板部２１の下側における高さ方向の上部側に設けられている。これにより、人はダイニングに起立した姿勢およびダイニングセット１４のダイニングチェア１４２に着座した姿勢のいずれの姿勢でも第１収納部３１および第２収納部３２を快適に使用することができる。
また、本実施形態では、第１収納部３１と第２収納部３２とが幅方向に並んで設けられているため、ダイニングテーブル１４１の北に着座した人は第１収納部３１にアクセスしやすく、ダイニングテーブル１４１の南側に着座した人は第２収納部３２にアクセスしやすく、ダイニングテーブル１４１に対してどちら側に着座しても収納家具１を快適に使用することができる。
このようにダイニング側から物品を容易に収納することができるため、ダイニングが散らかることが減りダイニングキッチン１１の意匠性を向上させることができる。
さらに、収納家具１は、ダイニングとキッチンとの間に設けられることにより、ダイニング側からの目隠しとして利用することができる。
【００５１】
また、収納家具１は、収納天板部２１の下側における高さ方向の上部側に設けられ、キッチン側のみに開口する第３収納部３３を有していることにより、第３収納部３３をキッチン側から使用することができる。
また、第２収納部３２と第３収納部３３とは奥行き方向に重なって設けられていることにより、第２収納部３２および第３収納部３３の奥行き寸法を小さくすることができ、収納家具１の奥行き寸法が大きい場合に第２収納部３２および第３収納部３３の使い勝手を良くすることができる。
【００５２】
また、収納家具１は、幅方向にスライドして第１収納部３１および第２収納部３２を片方ずつダイニング側から閉塞可能な第１引き戸４１と、幅方向にスライドして、第１収納部３１および第３収納部３３を片方ずつキッチン側から閉塞可能な第２引き戸４３と、を有している。
これにより、第１引き戸４１によってダイニング側から第１収納部３１および第２収納部３２を片方ずつ閉塞して内部を隠すことができる。また、第２引き戸４３によってキッチン側から第１収納部３１および第３収納部３３を片方ずつ閉塞して内部を隠すことができる。
【００５３】
また、第１収納部３１を第１引き戸４１または第２引き戸４３で閉塞した状態とすることで、閉塞した第１引き戸４１または第２引き戸４３を第１収納部３１の背板として使用することができる。図１３に示すように、第１引き戸４１で第１収納部３１のダイニング側を閉塞することで、第１引き戸４１を第１収納部３１をキッチン側から使用する際の背板として使用することができる。また、図１４に示すように、第２引き戸４３で第１収納部３１のキッチン側を閉塞することで、第２引き戸４３を第１収納部３１をダイニング側から使用する際の背板として使用することができる。
【００５４】
また、上記の実施形態では、第１引き戸４１および第２引き戸４３は、収納天板部２１に設けられた第１ガイドレール４２および第２ガイドレール４４に支持され、棚板部２２に溝やガイドレールが設けられていないため、棚板部２２に溝やガイドレールが設けられている場合と比べて棚板部２２の清掃を容易に行うことができる。
【００５５】
また、収納家具１は、幅方向の一方側に、ダイニング側、キッチン側および幅方向の一方側（北側）に開口する第４収納部３４を有している。
これにより、第４収納部３４をダイニング側、キッチン側および北側の３方から使用することができる。また、ダイニング側に開口していることにより、ダイニングセット１４のダイニングチェア１４２に着座した人が使用することができる。
【００５６】
また、収納家具１は、第４収納部３４の下側に設けられ、幅方向の一方側のみに開口する第５収納部３５を有している。
これにより、第５収納部３５を着座した状態など低い位置から使用することができる。
また、第５収納部３５は、幅方向の一方側のみに開口するため、扉や引き出し５１を設け、物品を露出しないように収納することができる。３方が開放された第４収納部３４の下側に設けられていることにより、第４収納部３４および第５収納部３５が設けられた幅方向の一方側の収納形態を多様化させることができる。
【００５７】
また、収納家具１は、高さ方向の下部側に設けられ、キッチン側のみに開口する第６収納部３６を有し、第６収納部３６の底部は、ダイニングキッチン１１の床部１１１となるように構成されていてもよい。
このような構成とすることにより、第６収納部３６にごみ箱やワゴンなどを容易に設置することができる。
【００５８】
また、収納家具１は、収納天板部２１の下側に設けられたコンセント（電源）６１を有し、収納天板部２１には、コンセント６１に接続する配線を挿通可能な配線挿通孔６２が形成されている。
これにより、収納天板部２１の上で電化製品を使用する場合に、その配線を収納天板部２１の側方に引き出すことなくコンセント６１に接続することができ、使い勝手および意匠性を向上させることができる。
【００５９】
また、収納家具１では、第５収納部３５の下側に設けられた台輪５３と、台輪５３の内部に設けられたコンセント５４を有し、コンセント５４に接続する配線を第５収納部３５から台輪５３の内部に設置可能に構成されていてもよい。
このような構成とすることにより、収納家具１で電化製品を使用する場合に、その配線を収納家具１の側方に引き出すことなくコンセント５４に接続することができ、使い勝手および意匠性を向上させることができる。
また、台輪５３の内部に設けられたコンセント５４を収納家具１を設置する床部１１１から引き出された電源と接続することにより、配線が収納家具１の外部に露出しないため意匠性を向上させることができる。
【００６０】
また、収納家具１の収納天板部２１は、キッチンに設けられたキッチンセット１３の天板よりも高い位置に配置されていることにより、収納家具１をキッチンの目隠しとして利用することができ、ダイニング側から意匠性を向上させることができる。
【００６１】
また、収納家具１の第１収納部３１および第２収納部３２は、ダイニングに設けられたダイニングテーブル１４１の天板の高さ以上の高さ位置に配置されていることにより、起立した状態でもダイニングセット１４のダイニングチェア１４２に着座した状態でも、第１収納部３１および第２収納部３２を快適に使用することができる。
【００６２】
また、収納家具１は、幅方向の他方側の端部を閉塞する第３側板部２５を有し、第３側板部２５がダイニングキッチン１１に設けられた窓と対向するように配置されている。
これにより、ダイニングキッチン１１の外部から窓を介してから収納家具１の内部を容易に視認できないようにすることができる。
また、収納家具１は、第３側板部２５が設けられた端部がキッチンに設けられたキッチンセット１３の加熱調理器１３１に近接する側となるように配置されている。
これにより、加熱調理器１３１で調理した際に油などが収納家具１に飛散したとしても、飛散した油などが収納家具１の内部に入り込むことを防止することができる。
【００６３】
以上、本発明による収納家具１およびダイニングキッチン１１の実施形態について説明したが、本発明は上記の実施形態に限定されるものではなく、その趣旨を逸脱しない範囲で適宜変更可能である。
例えば、上記の実施形態では、収納家具１には、収納天板部２１の下側における高さ方向の上部側に設けられ、キッチン側のみに開口する第３収納部３３が設けられているが設けられていなくてもよい。
また、上記の実施形態では、第２収納部３２と第３収納部３３とは奥行き方向に重なって設けられているが、奥行き方向に重ならず幅方向に並んで設けられていてもよい。
【００６４】
また、上記の実施形態では、収納家具１には、幅方向にスライドして第１収納部３１および第２収納部３２を片方ずつダイニング側から閉塞可能な第１引き戸４１と、幅方向にスライドして、第１収納部３１および第３収納部３３を片方ずつキッチン側から閉塞可能な第２引き戸４３とが設けられているが、このような引き戸が設けられていなくてもよい。
また、上記の実施形態では、収納家具１には、幅方向の一方側に、ダイニング側、キッチン側および幅方向の一方側（北側）に開口する第４収納部３４が設けられているが、このような第４収納部３４が設けられていなくてもよい。
【００６５】
また、上記の実施形態では、収納家具１には、第４収納部３４の下側に幅方向の一方側のみに開口する第５収納部３５が設けられているが、このような第５収納部３５が設けられていなくてもよい。
また、上記の実施形態では、収納家具１には、高さ方向の下部側にキッチン側のみに開口する第６収納部３６が設けられているが、このような第６収納部３６が設けられていなくてもよい。
【００６６】
また、上記の実施形態では、収納家具１には、コンセント６１や配線を挿通させる配線挿通孔６２が設けられているが、コンセント６１や配線挿通孔６２が設けられていなくてもよい。
【００６７】
また、収納家具１の収納天板部２１や各収納部の高さ寸法は適宜設定されてよい。また、ダイニングキッチン１１の配置や収納家具１のレイアウトは適宜設定されてよい。ダイニングキッチン１１の壁部１２や開口部、出入口の位置についても適宜設定されてよい。
【符号の説明】
【００６８】
１  収納家具
１１  ダイニングキッチン
１２  壁部
１３  キッチンセット
１４  ダイニングセット
２１  収納天板部
２２  棚板部
２３  第１側板部
２４  第２側板部
２５  第３側板部
２６  中板部
２７  第１仕切り板部
２８  第２仕切り板部
２９  第３仕切り板部
３１  第１収納部
３２  第２収納部
３３  第３収納部
３４  第４収納部
３５  第５収納部
３６  第６収納部
４１  第１引き戸
４２  第１ガイドレール
４３  第２引き戸
４４  第２ガイドレール
５１，５２  引き出し
５３  台輪
５４，６１，６２  コンセント（電源）
６３  配線挿通孔
１２１  第１壁部
１２２  第２壁部
１２３  第３壁部
１２４  第４壁部
【図１】
2019177056.tif 000003
【図２】
2019177056.tif 000004
【図３】
2019177056.tif 000005
【図４】
2019177056.tif 000006
【図５】
2019177056.tif 000007
【図６】
2019177056.tif 000008
【図７】
2019177056.tif 000009
【図８】
2019177056.tif 000010
【図９】
2019177056.tif 000011
【図１０】
2019177056.tif 000012
【図１１】
2019177056.tif 000013
【図１２】
2019177056.tif 000014
【図１３】
2019177056.tif 000015
【図１４】
2019177056.tif 000016